(57)【要約】【課題】              情報を共有するための新たな手段を提供すること。【解決手段】          複数の携帯通信端末１００Ｂ、１００Ｃ、１００Ｄ、１００Ｅから送信された位置情報および識別情報に基づいて、情報提供サーバ２００に予め登録された場所、日時、人数を含む設定条件を満たしたときに、情報提供サーバ２００から携帯通信端末１００Ｂ、１００Ｃ、１００Ｄ、１００Ｅに所定の情報を発信する。【選択図】            図１
2006215895.tif 000002
【特許請求の範囲】
【請求項１】
１又は複数の第１の携帯通信端末から送信された位置情報および識別情報に基づいて、前記情報提供サーバに予め登録された場所、日時、人数を含む設定条件を満たしたときに、前記情報提供サーバから前記第１の携帯通信端末に所定の情報を発信することを特徴とする情報提供方法。
【請求項２】
１又は複数の第１の携帯通信端末から送信された第１の位置情報および識別情報に基づいて、前記情報提供サーバに予め登録された場所、日時、人数を含む第１の設定条件を満たしたときに、前記情報提供サーバから前記第１の携帯通信端末に第１の情報を発信するステップと、
前記第１の携帯通信端末から送信された第２の位置情報、前記識別情報、及び前記第１の情報の回答に基づいて、前記情報提供サーバに予め登録された場所、日時、人数、回答を含む第２の設定条件を満たしたときに、前記情報提供サーバから前記第１の携帯通信端末に第２の情報を発信するステップと、
を含むことを特徴とする情報提供方法。
【請求項３】
前記情報提供サーバにて第２の携帯通信端末から送信されたイベント案内情報、前記設定条件、及び、対応する前記第１の携帯通信端末に係る識別情報を登録するステップを含み、
前記識別情報は、前記第１の携帯通信端末の電話番号又はメールアドレスよりなることを特徴とする請求項１又は２記載の情報提供方法。
【請求項４】
前記設定条件の日時を過ぎたときに、前記情報提供サーバにて前記第１の携帯通信端末からのアクセスを拒否することを特徴とする請求項１乃至３のいずれか一に記載の情報提供方法。
【請求項５】
前記情報提供サーバから、一時的に前記情報提供サーバへのアクセスが許されるＵＲＬアドレスと、前記第２の携帯通信端末によって登録された前記第１の携帯通信端末に係る識別情報と、前記イベント案内情報と、を前記第１の携帯通信端末に送信するステップを含むことを特徴とする請求項３又は４記載の情報提供方法。
【請求項６】
前記ＵＲＬアドレスにアクセスしてきた前記第１の携帯通信端末からの前記識別情報を受信することにより、前記情報提供サーバにて前記第１の携帯通信端末のユーザ認証を行うステップを含むことを特徴とする請求項５記載の情報提供方法。
【請求項７】
前記第１の携帯通信端末による前記イベント案内情報に係る参加登録が行われたときに、前記情報提供サーバにて前記第１の携帯通信端末からの前記位置情報および前記識別情報の受信を開始することを特徴とする請求項５又は６記載の情報提供方法。
【請求項８】
場所、日時、人数を含む設定条件を記憶する記憶部と、
前記記憶部に記憶された前記設定条件を満たすか否かの確認処理を行うとともに、１又は複数の第１の携帯通信端末から送信された位置情報および識別情報に基づいて、前記設定条件を満たしたときに前記第１の携帯通信端末に所定の情報の発信処理を行う制御部と、
を備えることを特徴とする情報提供サーバ。
【請求項９】
場所、日時、人数を含む第１の設定条件を記憶するとともに、場所、日時、人数、回答を含む第２の設定条件を記憶する記憶部と、
１又は複数の第１の携帯通信端末から送信された第１の位置情報および識別情報に基づいて前記記憶部に記憶された前記第１の設定条件を満たすか否かの確認処理を行うとともに、前記第１の設定条件を満たしたときに前記第１の携帯通信端末に第１の情報の発信処理を行い、前記第１の携帯通信端末から送信された第２の位置情報、前記識別情報、及び前記第１の情報の回答に基づいて前記記憶部に記憶された前記第２の設定条件を満たすか否かの確認処理を行い、前記第２の設定条件を満たしたときに前記第１の携帯通信端末に第２の情報の発信処理を行う制御部と、
を備えることを特徴とする情報提供サーバ。
【請求項１０】
前記情報提供サーバの前記記憶部は、第２の携帯通信端末から送信されたイベント案内情報、前記設定条件、及び、対応する前記第１の携帯通信端末に係る識別情報が登録され、
前記識別情報は、前記第１の携帯通信端末の電話番号又はメールアドレスよりなることを特徴とする請求項８又は９記載の情報提供サーバ。
【請求項１１】
前記情報提供サーバの前記制御部は、前記設定条件の日時を過ぎたときに、前記第１の携帯通信端末からのアクセスを拒否することを特徴とする請求項８乃至１０のいずれか一に記載の情報提供サーバ。
【請求項１２】
一時的に前記情報提供サーバへのアクセスが許されるＵＲＬアドレスと、前記第２の携帯通信端末によって登録された前記第１の携帯通信端末に係る識別情報と、前記イベント案内情報と、を前記第１の携帯通信端末に送信する通信部を備えることを特徴とする請求項１０又は１１記載の情報提供サーバ。
【請求項１３】
前記情報提供サーバの前記制御部は、前記ＵＲＬアドレスにアクセスしてきた前記第１の携帯通信端末からの前記識別情報を受信することにより、前記第１の携帯通信端末のユーザ認証を行うことを特徴とする請求項１２記載の情報提供サーバ。
【請求項１４】
前記情報提供サーバの前記制御部は、前記第１の携帯通信端末による前記イベント案内情報に係る参加登録が行われたときに、前記第１の携帯通信端末からの前記位置情報および前記識別情報の受信を受け付けることを特徴とする請求項１２又は１３記載の情報提供サーバ。
【請求項１５】
前記第１の携帯通信端末は、自機の前記位置情報を取得するための位置情報受信部を有することを特徴とする請求項８乃至１４のいずれか一に記載の情報提供サーバ。
【請求項１６】
１又は複数の第１の携帯通信端末から送信された位置情報および識別情報に基づいて、前記情報提供サーバに予め登録された場所、日時、人数を含む設定条件を満たしたときに、前記情報提供サーバから前記第１の携帯通信端末に所定の情報を発信するステップを前記情報提供サーバにて実行させることを特徴とする情報提供プログラム。
【請求項１７】
１又は複数の第１の携帯通信端末から送信された第１の位置情報および識別情報に基づいて、前記情報提供サーバに予め登録された場所、日時、人数を含む第１の設定条件を満たしたときに、前記情報提供サーバから前記第１の携帯通信端末に第１の情報を発信するステップと、
前記第１の携帯通信端末から送信された第２の位置情報、前記識別情報、及び前記第１の情報の回答に基づいて、前記情報提供サーバに予め登録された場所、日時、人数、回答を含む第２の設定条件を満たしたときに、前記情報提供サーバから前記第１の携帯通信端末に第２の情報を発信するステップと、
を前記情報提供サーバにて実行させることを特徴とする情報提供プログラム。
【請求項１８】
前記情報提供サーバにて第２の携帯通信端末から送信されたイベント案内情報、前記設定条件、及び、対応する前記第１の携帯通信端末に係る識別情報を登録するステップを実行させることを特徴とする請求項１６又は１７記載の情報提供プログラム。
【請求項１９】
前記設定条件の日時を過ぎたときに、前記情報提供サーバにて前記第１の携帯通信端末からのアクセスを拒否するステップを実行させることを特徴とする請求項１６乃至１８のいずれか一に記載の情報提供プログラム。
【請求項２０】
前記情報提供サーバにて、一時的に前記情報提供サーバへのアクセスが許されるＵＲＬアドレスと、前記第２の携帯通信端末によって登録された前記第１の携帯通信端末に係る識別情報と、前記イベント案内情報と、を前記第１の携帯通信端末に送信するステップを実行させることを特徴とする請求項１８又は１９記載の情報提供プログラム。
【請求項２１】
前記ＵＲＬアドレスにアクセスしてきた前記第１の携帯通信端末からの前記識別情報を受信することにより、前記情報提供サーバにて前記第１の携帯通信端末のユーザ認証を行うステップを実行させることを特徴とする請求項２０記載の情報提供プログラム。
【請求項２２】
前記第１の携帯通信端末による前記イベント案内情報に係る参加登録が行われたときに、前記情報提供サーバにて前記第１の携帯通信端末からの前記位置情報および前記識別情報の受信を開始するステップを実行させることを特徴とする請求項２０又は２１記載の情報提供プログラム。
【発明の詳細な説明】
【技術分野】
【０００１】
本発明は、設定条件に合わせて所定の情報を提供する情報提供方法、サーバ、及びプログラムに関する。
【背景技術】
【０００２】
従来のＧＰＳ受信機（位置情報取得手段）を備えた携帯通信端末に関するサービスとして、カーナビゲーションシステムのような行き先案内や場所の情報登録、あるいは指定された地域で電子広告の提供といった固定された商用的なサービスがある。このようなサービスのほとんどは、個人単位への情報提供が多い。
【０００３】
例えば、従来の携帯通信端末において、無線送受信手段と、通信相手の受信場所を指定したメールを送信する受信場所指定メール送信手段と、自位置情報を取得する位置情報取得手段と、前記位置情報取得手段にて取得した自位置情報をサーバに送信する位置情報送信手段と、前記サーバにて、当該位置に対応する場所指定メールが存在する場合と判断された場合に、前記場所指定メールを受信する場所指定メール受信手段と、を備えたものがある（特許文献１参照）。
【０００４】
【特許文献１】特開２００２−３００６２７号公報
【特許文献２】特開２００２−２３０２１８号公報
【特許文献３】特開２００２−２７８８８６号公報
【特許文献４】特開２００４−１５４４０号公報
【発明の開示】
【発明が解決しようとする課題】
【０００５】
しかしながら、携帯通信端末を持つユーザ同士が、情報の取得を行う条件として場所／時間／人数を指定して情報を登録し、その情報をユーザ同士が集う場所で条件成立して入手し、仲間同士で情報を共有した上でその情報に基づいて操作を行い、その結果を仲間同士で交換したり、次の情報を取得するためのアクションを行うという機能やサービスはこれまでになかった。
【０００６】
また、小集団単位で活動する場合には情報やその情報に基づくアクションの結果を共有したいことがあり、そのために、従来の携帯通信端末では電子メールやＷＥＢサイトを利用したり、電子化された情報や印刷された情報を直接持ち歩くという手段しかなかった。
【０００７】
本発明の課題は、情報を共有するための新たな手段を提供することである。
【課題を解決するための手段】
【０００８】
本発明の第１の視点においては、情報提供方法において、１又は複数の第１の携帯通信端末から送信された位置情報および識別情報に基づいて、前記情報提供サーバに予め登録された場所、日時、人数を含む設定条件を満たしたときに、前記情報提供サーバから前記第１の携帯通信端末に所定の情報を発信することを特徴とする。
【０００９】
本発明の第２の視点においては、１又は複数の第１の携帯通信端末から送信された第１の位置情報および識別情報に基づいて、前記情報提供サーバに予め登録された場所、日時、人数を含む第１の設定条件を満たしたときに、前記情報提供サーバから前記第１の携帯通信端末に第１の情報を発信するステップと、前記第１の携帯通信端末から送信された第２の位置情報、前記識別情報、及び前記第１の情報の回答に基づいて、前記情報提供サーバに予め登録された場所、日時、人数、回答を含む第２の設定条件を満たしたときに、前記情報提供サーバから前記第１の携帯通信端末に第２の情報を発信するステップと、を含むことを特徴とする。
【００１０】
本発明の前記情報提供方法において、前記情報提供サーバにて第２の携帯通信端末から送信されたイベント案内情報、前記設定条件、及び、対応する前記第１の携帯通信端末に係る識別情報を登録するステップを含み、前記識別情報は、前記第１の携帯通信端末の電話番号又はメールアドレスよりなることが好ましい。
【００１１】
本発明の前記情報提供方法において、前記設定条件の日時を過ぎたときに、前記情報提供サーバにて前記第１の携帯通信端末からのアクセスを拒否することが好ましい。
【００１２】
本発明の前記情報提供方法において、前記情報提供サーバから、一時的に前記情報提供サーバへのアクセスが許されるＵＲＬアドレスと、前記第２の携帯通信端末によって登録された前記第１の携帯通信端末に係る識別情報と、前記イベント案内情報と、を前記第１の携帯通信端末に送信するステップを含むことが好ましい。
【００１３】
本発明の前記情報提供方法において、前記ＵＲＬアドレスにアクセスしてきた前記第１の携帯通信端末からの前記識別情報を受信することにより、前記情報提供サーバにて前記第１の携帯通信端末のユーザ認証を行うステップを含むことが好ましい。
【００１４】
本発明の前記情報提供方法において、前記第１の携帯通信端末による前記イベント案内情報に係る参加登録が行われたときに、前記情報提供サーバにて前記第１の携帯通信端末からの前記位置情報および前記識別情報の受信を開始することが好ましい。
【００１５】
なお、本発明の前記情報提供方法は、サーバ装置（情報提供サーバ）を構成するコンピュータ上でプログラム（情報提供プログラム）を実行することで実現される。
【発明の効果】
【００１６】
本発明（請求項１−２２）によれば、移動する場所に対して情報を提供する日時や情報の受信者を指定しておき、受信者がその決められた時間に、目的とする場所に移動すれば、その状況下で必要な情報を得られる。これにより、特定のパーティへの情報提供が可能となり、ＧＰＳを搭載した携帯通信端末にとっては極めて有効なサービス手段の提供となる上、新しい使い方も拡げていくことが可能である。
【発明を実施するための最良の形態】
【００１７】
（実施形態１）
本発明の実施形態１に係る情報提供方法について図面を用いて説明する。図１は、本発明の実施形態１に係る情報提供方法を実施するためのシステムの構成を模式的に示した概略図である。図２は、本発明の実施形態１に係る情報提供方法を実施するためのシステムの情報提供サーバへのイベント設定情報を模式的に示した概略図である。
【００１８】
図１を参照すると、このシステムでは、携帯通信端末１００Ａ、１００Ｂ、１００Ｃ、１００Ｄ、１００Ｅと、情報提供サーバ２００と、インターネット網３００と、無線基地局３０１、３０２と、ゲートウェイサーバ３０３、３０４と、を有する。携帯通信端末１００Ａは、発信者が持つ携帯通信端末である。携帯通信端末１００Ｂ、１００Ｃ、１００Ｄ、１００Ｅは、受信者が持つ携帯通信端末である。情報提供サーバ２００は、情報提供サービスを行うサーバである。インターネット網３００は、情報提供サーバ２００及びゲートウェイサーバ３０３、３０４と接続されている。無線基地局３０１は、携帯通信端末１００Ａと無線通信可能に接続されており、ゲートウェイサーバ３０３と有線通信可能に接続されている。無線基地局３０２は、携帯通信端末１００Ｂ、１００Ｃ、１００Ｄ、１００Ｅと無線通信可能に接続されており、ゲートウェイサーバ３０４と有線通信可能に接続されている。ゲートウェイサーバ３０３は、インターネット網３００及び無線基地局３０１と接続されている。ゲートウェイサーバ３０４は、インターネット網３００及び無線基地局３０２と接続されている。
【００１９】
携帯通信端末１００Ａは、無線基地局３０１、ゲートウェイサーバ３０３、及びインターネット網３００を経由して情報提供サーバ２００と接続される。携帯通信端末１００Ａは、情報を配信すべき１名以上の人の集まり（携帯通信端末１００Ｂ、１００Ｃ、１００Ｄ、１００Ｅの集まり；以降、人の集まりを「パーティ」、人を「パーティメンバー」と称する。）に対してイベント発生の条件やイベント開催の案内を情報提供サーバ２００へ登録する。ここで、「イベント発生」とは、情報提供サーバ２００より発信される情報を携帯通信端末１００Ｂ、１００Ｃ、１００Ｄ、１００Ｅで受け、そこに表示される情報または、その情報に連携されたＷＥＢサイトのページやアプリや音楽、映像などを再生する行為をいう。また、「イベント開催」とは、イベント発生を１名以上で利用するための集会を開催することをいう。
【００２０】
図２を参照すると、情報提供サーバ２００に登録されるイベント設定情報は、イベント行事案内の件名、イベント行事実施の概要、登録者の名前やサービスユーザＩＤといった登録者情報、パーティメンバー（受信者）の名前やＥメールや携帯通信端末の電話番号といった受信者宛先情報、イベント実施の案内文となるメッセージ等の情報が登録される。また、情報提供サーバ２００に登録されるイベント設定情報は、必要に応じてイベント単位に発生場所、発生時期、イベント発生種類、イベント発生条件のそれぞれの内容を個数分設定する。例えば、イベント発生場所としてＧＰＳ（The Global Positioning System）やＷＥＢブラウザの地図情報サービスによる受信場所の位置情報を設定し、イベント発生時期としてイベントの開始から終了の期間が定められた年月日や期間を設定し、イベント発生種類としてイベントを発生させる最低人数、その他イベントを発生させるための入力条件、出力条件を簡単な数式で設定する。
【００２１】
携帯通信端末１００Ａからの登録要求が情報提供サーバ２００で受理されると、情報提供サーバ２００から携帯通信端末１００Ａへサービス登録完了の通知と、パーティメンバーの携帯通信端末１００Ｂ、１００Ｃ、１００Ｄ、１００Ｅへのイベントの通知と情報提供サーバ２００へのアクセス用ＵＲＬアドレスの通知がなされる。各パーティメンバーは、携帯通信端末１００Ｂ、１００Ｃ、１００Ｄ、１００Ｅの表示を参照することにより、情報提供サーバ２００からの通知の内容を確認し、参加の意思表明として、通知に示されたＵＲＬを用いて情報提供サーバ２００へ接続し、出席の有無を送信する。予定したパーティメンバー全員が返信を行い、受信者の出席数の下限値を上回る数であれば、情報提供サーバ２００は、自動的にサービスの登録判断を行い、受信者の携帯通信端末１００Ｂ、１００Ｃ、１００Ｄ、１００Ｅへメール発信した結果を発信者へ返し終了する。
【００２２】
その後、パーティメンバーは、イベント設定された場所と日時に集まり、携帯通信端末１００Ｂ、１００Ｃ、１００Ｄ、１００Ｅを使って、発信者より案内されたメールに示されたＵＲＬアドレスから情報提供サーバ２００へ接続し、情報提供サーバ２００から提示される画面の案内に従って操作を行うと、イベントが発生しうる条件がすべて満たされていれば、携帯通信端末１００Ｂ、１００Ｃ、１００Ｄ、１００Ｅへその結果が送信される。
【００２３】
移動場所が複数あったり、同じ場所で複数のイベントが設定されていれば、イベント発生のたびに、発信者より設定された情報を手がかりに、該当すると思われる場所または時刻に移動し、最初の接続と同様にメールで案内されてくるＵＲＬアドレスへ接続し情報提供サーバ２００から提示される画面の案内に従って操作を行う。このときイベントの発生条件が合致していればイベントが発生する。
【００２４】
次に、実施形態１に係る情報提供方法で使用される携帯通信端末について図面を用いて説明する。図３は、本発明の実施形態１に係る情報提供方法で使用される携帯通信端末の構成を模式的に示したブロック図である。
【００２５】
携帯通信端末１００は、マイクロコンピュータを主体とした端末であり、制御部１０１によって端末全体の主要デバイスの制御を行う。携帯通信端末１００は、イベントの発生条件や提供情報として音声や映像や位置情報を扱うため、キー操作部１０２と、データ変換部１０３と、映像処理部１０４と、音声処理部１０５と、位置情報受信部１０６と、記憶部１０７と、撮像部１０８と、スピーカ１０９と、マイクロフォン１１０と、表示部１１１と、通信部１１２と、アンテナ１１３と、を有する。キー操作部１０２は、携帯通信端末の機能を選んだり、文字を入力するための各種キースイッチである。データ変換部１０３は、データを通信方式や通信サービスに適したフォーマットに変換する。映像処理部１０４は、撮像部１０８からのイメージ情報を映像処理する。音声処理部１０５は、音声を再生・録音の処理を行う。位置情報受信部１０６は、自機の位置情報を取得し、例えば、ＧＰＳ受信機で構成される。記憶部１０７は、プログラムやサーバの処理情報、ユーザの情報などを記憶する。撮像部１０８は、動画や静止画等のイメージ情報の取得（撮影）を行う。スピーカ１０９は、音声を再生する。マイクロフォン１１０は、音声を音声信号に変換し、音声処理部１０５に音声信号を入力する。表示部１１１は、電話番号や電子メール、ゲーム、ＷＥＢブラウザ、撮影映像等のさまざまなデバイスからの各種情報を表示し、例えば、ＬＣＤ、有機ＥＬなどの表示装置で構成される。通信部１１２は、アンテナ１１３を介して無線基地局（図１の３０１、３０２）との間で無線信号の送受を行い、インターネット網（図１の３００）や電話サービス網と接続する。
【００２６】
次に、本発明の実施形態１に係る情報提供方法で使用される情報提供サーバについて図面を用いて説明する。図４は、本発明の実施形態１に係る情報提供方法で使用される情報提供サーバの構成を模式的に示したブロック図である。
【００２７】
情報提供サーバ２００は、マイクロコンピュータを主体としたサーバであり、制御部２０１によって端末全体の主要デバイスの制御を行う。キー操作部２０２は、所定の情報を入力するためのキーボードなどの入力インターフェースである。記憶部２０３は、サービスを実現するためのプログラムやサーバの処理情報、ユーザの管理情報、ユーザのサービス記録情報などを記憶する。表示部２０４は、各種情報を表示し、サーバ本体のメンテナンス等の際にサーバ管理者が使用する。通信部２０５は、インターネット網（図１の３００）との接続を行う。
【００２８】
次に、実施形態１に係る情報提供方法を実施するためのシステムの動作について図面を用いて説明する。図５は、本発明の実施形態１に係る情報提供方法を実施するためのシステムにおける発信側の携帯通信端末と情報提供サーバの間の動作を説明するためのサービス登録時のフローチャート図である。図６は、本発明の実施形態１に係る情報提供方法を実施するためのシステムにおける受信側の携帯通信端末と情報提供サーバの間の動作を説明するためのサービス開始時のフローチャート図である。図７は、本発明の実施形態１に係る情報提供方法を実施するためのシステムにおける受信側の携帯通信端末と情報提供サーバの間の動作を説明するためのサービス利用時のフローチャート図である。
【００２９】
（サービス登録時）
発信側の携帯通信端末１００Ａと情報提供サーバ２００の間のサービス登録時の動作について説明する。
【００３０】
図５を参照すると、まず、発信者は、携帯通信端末１００Ａを用いて情報提供サーバ２００へアクセスする（ステップＡ１）。この際、携帯通信端末１００Ａは、ユーザＩＤとパスワードを情報提供サーバ２００に送信する。次に、情報提供サーバ２００は、携帯通信端末１００ＡからのユーザＩＤとパスワードを受信することにより、ユーザ認証の受付処理を行う（ステップＡ２）。
【００３１】
情報提供サーバ２００へアクセスした後、発信者は、携帯通信端末１００Ａを用いて、入力画面の要求事項に従い、「１．件名」、「２．宛先（パーティメンバー）、名前、メールアドレス、携帯通信端末番号」、「３．メッセージ」、「４．イベント内容」、「５．受信場所」、「６．有効日時」、「７．入力条件」、「８．出力条件」を含むイベント設定情報を入力する（ステップＡ３）。ここで、入力画面の入力項目は、大きく分けて３点ある。１点目は、発信者がサービスに登録したイベントの概要を受信者への案内として最初に出すメールの内容（１〜３）である。２点目は、そのメールを受け取った受信者が内容をみて参加を決め、情報提供サーバ２００へ接続し、参加に承諾した後、情報提供サーバ２００がサービス登録の完了を判断し、受信者へ向けてイベントの正式案内を通知するときの情報（１〜８）である。３点目は、イベントを発生させるための設定条件（４〜８）である。次に、発信者は、携帯通信端末１００Ａを用いて、入力したイベント設定情報を情報提供サーバ２００に送信する（ステップＡ４）。次に、情報提供サーバ２００は、携帯通信端末１００Ａからのイベント設定情報を受信する（ステップＡ５）。
【００３２】
次に、情報提供サーバ２００は、受信したイベント設定情報の「６．有効日時」に基づいて、サービス登録する期限以内であるか否かを確認する（ステップＡ６）。期限が過ぎてしまっていた場合（ステップＡ６のＮＯ）、ステップＡ９に進む。期限以内である場合（ステップＡ６のＹＥＳ）、情報提供サーバ２００は、受信したイベント設定情報においてイベントを発生させるための設定条件（４〜８）がすべて入力されているか否かを確認する（ステップＡ７）。イベントを発生させるための設定条件（４〜８）がすべて入力されていない場合（ステップＡ７のＮＯ）、ステップＡ９に進む。イベントを発生させるための設定条件（４〜８）がすべて入力されている場合（ステップＡ７のＹＥＳ）、情報提供サーバ２００は、受信したイベント設定情報を登録する（ステップＡ８）。イベント設定情報を登録（ステップＡ８）した後、期限が過ぎてしまっていた場合（ステップＡ６のＮＯ）、又は、イベントを発生させるための設定条件（４〜８）がすべて入力されていない場合（ステップＡ７のＮＯ）、情報提供サーバ２００は、イベント設定情報の確認結果情報を生成し、当該確認結果情報を携帯通信端末１００Ａに送信する（ステップＡ９）。ここで、確認結果情報は、（１）イベント設定情報を登録した場合はその旨、（２）期限が過ぎてしまっていた場合はその旨、（３）イベントを発生させるための設定条件（４〜８）がすべて入力されていない場合はその旨を知らせる情報である。次に、携帯通信端末１００Ａは、情報提供サーバ２００からの確認結果情報を受信する（ステップＡ１０）。
【００３３】
次に、携帯通信端末１００Ａは、受信した確認結果情報に基づいて、入力したイベント設定情報に処理エラーがないか否かを確認する（ステップＡ１１）。イベント設定情報にエラーがある場合（ステップＡ１１のＮＯ；期限にエラーがある場合、イベントを発生させるための設定条件（４〜８）にエラーがある場合）、再度、登録した内容を発信者に修正するよう、ステップＡ３に戻る。イベント設定情報にエラーがない場合（ステップＡ１１のＹＥＳ）、携帯通信端末１００Ａは、イベント設定情報の内容を実行するか否かの判断を求める操作画面を表示する（ステップＡ１２）。次に、携帯通信端末１００Ａは、発信者の操作により、イベント設定情報の内容を実行するか否かの指示情報を情報提供サーバ２００に送信する（ステップＡ１３）。次に、情報提供サーバ２００は、携帯通信端末１００Ａからの指示情報を受信する（ステップＡ１４）。
【００３４】
次に、情報提供サーバ２００は、受信した指示情報がイベント設定情報の内容を実行するものか否かを確認する（ステップＡ１５）。イベント設定情報の内容を実行するものでない場合（ステップＡ１５のＮＯ）、ステップＡ１８に進む。ここで、ステップＡ１４では指示情報を待ち受けるのに一定の時間があり、それを過ぎれば、ステップＡ１５へ進む。そのとき、発信者の携帯通信端末１００ＡがステップＡ１３に進んでいなければ、ステップＡ１８へ進む。イベント設定情報の内容を実行するものである場合（ステップＡ１５のＹＥＳ）、情報提供サーバ２００は、イベント設定情報に基づいてイベント開催案内メールを生成して、パーティメンバーの携帯通信端末１００Ｂ、１００Ｃ、１００Ｄ、１００Ｅに対しイベント開催案内メールを自動送信する（ステップＡ１６）。ここで、イベント開催案内メールには、件名、宛先、イベント内容、受信場所、有効日時、入力条件、出力条件、情報提供サーバ２００のＵＲＬアドレスが含まれる。次に、情報提供サーバ２００は、メール配信サービスからのメールの送信結果情報（全部非送信、一部送信済、又は全部送信済）を受信する（ステップＡ１７）。ここで、送信結果情報には、（１）全アドレスに送信できなかった場合、（２）一部のアドレスに送信できた場合、（３）全アドレスに送信できた場合がある。ステップＡ１７の後、又は、イベント設定情報の内容を実行するものでない場合（ステップＡ１５のＮＯ）、情報提供サーバ２００は、実行結果情報を生成し、当該実行結果情報を携帯通信端末１００Ａに送信する（ステップＡ１８）。ここで、実行結果情報は、（１）メール配信サービスからのメールの送信結果情報、（２）イベント設定情報の内容を実行するものでない場合は非実行の旨、（３）指示情報を受信していない場合はその旨を知らせる情報である。次に、携帯通信端末１００Ａは、情報提供サーバ２００からの実行結果情報を受信する（ステップＡ１９）。
【００３５】
次に、携帯通信端末１００Ａは、受信した実行結果情報についてエラーがないか否かを確認する（ステップＡ２０）。ここでの確認は、ステップＡ１６において、情報提供サーバ２００から送信されたイベント実施の案内メールがパーティメンバーの携帯通信端末１００Ｂ、１００Ｃ、１００Ｄ、１００Ｅに対してエラーなく送信されたか否かの確認となる。エラーがある場合（ステップＡ２０のＮＯ）、イベントが成立できないと判断されるため、再度登録した内容を発信者に修正するよう、ステップＡ３に戻る。エラーがない場合（ステップＡ２０のＹＥＳ）、サービス登録動作を終了する。
【００３６】
（サービス開始時）
受信側の携帯通信端末１００Ｂ（１００Ｃ、１００Ｄ又は１００Ｅ）と情報提供サーバ２００の間のサービス開始時の動作について説明する。
【００３７】
図６を参照すると、まず、パーティメンバー（ここでは代表として携帯通信端末１００Ｂの受信者）は、図５のステップＡ１６における発信者からのイベント開催案内メールを受けた後、当該イベント開催案内メールを開いて内容を確認し、当該イベント開催案内メールに記載された情報提供サーバ２００のＵＲＬアドレスに基づいて情報提供サーバ２００にアクセスする（ステップＢ１）。この際、携帯通信端末１００Ｂは、ユーザＩＤとパスワードを情報提供サーバ２００に送信する。情報提供サーバ２００は、携帯通信端末１００ＢからのユーザＩＤとパスワードを受信することにより、ユーザ認証の受付処理を行う（ステップＢ２）。
【００３８】
次に、携帯通信端末１００Ｂは、情報提供サーバ２００からのデータの送信があるか否かを確認する（ステップＢ３）。ここで、ステップＢ３では、情報提供サーバ２００からのデータを受信するために数秒程度の待ち受け時間があり、規定時間が経過すれば、データの送信がないと判断される。情報提供サーバ２００からのデータの送信がない場合（ステップＢ３のＮＯ）、終了する。情報提供サーバ２００からのデータの送信がある場合（ステップＢ３のＹＥＳ）、ステップＢ７に進む。
【００３９】
ユーザ認証の受付処理後、情報提供サーバ２００は、登録されているイベント設定情報を読み出す（ステップＢ４）。次に、情報提供サーバ２００は、現日時がイベント設定情報の有効日時の期間内であるか否かを確認する（ステップＢ５）。有効日時の期間内でない場合（ステップＢ５のＮＯ）、ステップＢ１９に進む。有効日時の期間内である場合（ステップＢ５のＹＥＳ）、情報提供サーバ２００は、有効日時の期間内である旨を知らせる有効性情報を生成し、当該有効性情報を携帯通信端末１００Ｂに送信する（ステップＢ６）。なお、有効性情報には、（１）有効日時の期間内である場合にはその旨を知らせる情報、（２）有効日時の期間内でない場合にはその旨を知らせる情報、（３）参加情報に不備がある場合にはその旨を知らせる情報、の３種類の情報がある。ステップＢ６又はステップＢ１９の後、携帯通信端末１００Ｂは、情報提供サーバ２００からの有効性情報を受信する（ステップＢ７）。
【００４０】
次に、携帯通信端末１００Ｂは、受信した有効性情報に問題（有効日時経過、参加情報不備）がないか否かを確認する（ステップＢ８）。問題がある場合（ステップＢ８のＮＯ）、ステップＢ１６に進む。問題がない場合（ステップＢ８のＹＥＳ）、パーティメンバーは、携帯通信端末１００Ｂに、参加情報として、「メールアドレス」及び「（携帯通信端末１００Ｂの）電話番号」を入力し、「参加、不参加」をチェックし、案内に対し参加、不参加の返答を含めた「コメント」を入力する（ステップＢ９）。次に、携帯通信端末１００Ｂは、参加情報を情報提供サーバ２００に送信する（ステップＢ１０）。次に、情報提供サーバ２００は、携帯通信端末１００Ｂからの参加情報を受信する（ステップＢ１１）。
【００４１】
次に、情報提供サーバ２００は、受信した参加情報に不備がないか否かを確認する（ステップＢ１２）。不備がある場合（ステップＢ１２のＮＯ）、ステップＢ１９に進む。不備がない場合（ステップＢ１２のＹＥＳ）、情報提供サーバ２００は、登録されているイベント設定情報に参加情報を関連付けて登録する（ステップＢ１３）。次に、情報提供サーバ２００は、参加情報を受け付けた旨を知らせる受付情報を生成し、当該受付情報を携帯通信端末１００Ｂに送信する（ステップＢ１４）。次に、携帯通信端末１００Ｂは、情報提供サーバ２００からの受付情報を受信する（ステップＢ１５）。
【００４２】
受付情報を受信（ステップＢ１５）した後、又は、有効性情報に問題がある場合（ステップＢ８のＮＯ）、携帯通信端末１００Ｂは、受付情報、又は、有効性情報の問題点の内容を表示し（ステップＢ１６）、終了する。
【００４３】
受付情報を送信した後、情報提供サーバ２００は、パーティメンバー全員の分の参加情報がイベント設定情報に関連付けて登録されているか否かを確認する（ステップＢ１７）。全員の分の参加情報が登録されていない場合（ステップＢ１７のＮＯ）、終了する。全員の分の参加情報が登録されている場合（ステップＢ１７のＹＥＳ）、情報提供サーバ２００は、登録されたイベント設定情報に係るイベントをサービス開始に設定し（ステップＢ１８）、終了する。その後、情報提供サーバ２００は、イベントの開催が確定したことを知らせるイベント開催通知メールを生成し、当該イベント開催通知メールを（参加情報で参加を選択した）携帯通信端末（１００Ｂ、１００Ｃ、１００Ｄ、及び１００Ｅの一部又は全部）に送信することになる。なお、イベント開催通知メールには、情報提供サーバ２００のＵＲＬアドレスが含まれる。
【００４４】
有効日時の期間内でない場合（ステップＢ５のＮＯ）、又は、参加情報に不備がある場合（ステップＢ１２のＮＯ）、情報提供サーバ２００は、有効日時の期間内でない旨、又は、参加情報に不備がある旨を知らせる有効性情報を生成し、当該有効性情報を携帯通信端末１００Ｂに送信する（ステップＢ１９）。ステップＢ１９の後は、ステップＢ７に進む。
【００４５】
なお、携帯通信端末１００Ｂと情報提供サーバ２００の間のサービス開始時の動作は、受信側の携帯通信端末１００Ｃ、１００Ｄ又は１００Ｅと情報提供サーバ２００の間のサービス開始時の動作でも同様に行われる。
【００４６】
（サービス利用時）
受信側の携帯通信端末１００Ｂ（１００Ｃ、１００Ｄ又は１００Ｅ）と情報提供サーバ２００の間のサービス利用時の動作について説明する。
【００４７】
図７を参照すると、まず、パーティメンバー（ここでは代表として携帯通信端末１００Ｂの受信者）は、携帯通信端末１００Ｂにて情報提供サーバ２００からのイベント開催通知メールを受信し、当該イベント開催通知メールを開いて内容を確認し、所定の時間までに所定の場所へ移動する。次に、パーティメンバーは、イベント開催通知メールに記載された情報提供サーバ２００のＵＲＬアドレスに基づいて情報提供サーバ２００にアクセスする（ステップＣ１）。この際、携帯通信端末１００Ｂは、ユーザＩＤとパスワードを情報提供サーバ２００に送信する。情報提供サーバ２００は、携帯通信端末１００ＢからのユーザＩＤとパスワードを受信することにより、ユーザ認証の受付処理を行う（ステップＣ２）。
【００４８】
次に、情報提供サーバ２００は、現日時がイベント設定情報の有効日時の期間内であるか否かを確認する（ステップＣ３）。有効日時の期間内でない場合（ステップＣ３のＮＯ）、ステップＣ１２に進む。有効日時の期間内である場合（ステップＣ３のＹＥＳ）、情報提供サーバ２００は、参加を選択したパーティメンバー全員の携帯通信端末１００Ｂ、１００Ｃ、１００Ｄ、１００Ｅからのユーザ認証があるか否かを確認する（ステップＣ４）。全員のユーザ認証がない場合（ステップＣ４のＮＯ）、ステップＣ３に戻る。全員のユーザ認証がある場合（ステップＣ４のＹＥＳ）、登録されているイベント設定情報を読み出す（ステップＣ５）。
【００４９】
一方、パーティメンバーは、情報提供サーバ２００にアクセスした後、携帯通信端末１００Ｂにて情報提供サーバ２００にアクセスすることにより取得した（入力条件入力用）案内画面に従い、イベントの入力条件を入力する（ステップＣ６）。なお、ここではサービス登録時にイベント設定情報において入力条件が何も設定されてなくても、一律に案内画面が表示される。その場合は、入力せずに実行する。次に、携帯通信端末１００Ｂは、位置情報受信部（図３の１０６）から（自己の端末の）位置情報を取得する（ステップＣ７）。次に、携帯通信端末１００Ｂは、入力条件および位置情報を情報提供サーバ２００に送信する（ステップＣ８）。次に、情報提供サーバ２００は、携帯通信端末１００Ｂからの入力条件および位置情報を受信する（ステップＣ９）。
【００５０】
次に、情報提供サーバ２００は、受信した入力条件および位置情報と、読み出したイベント設定情報と、に基づいて、位置情報および入力条件がイベント設定情報の発生条件に適合か否かを確認する（ステップＣ１０）。発生条件に適合しない場合（ステップＣ１０のＮＯ）、ステップＣ１２に進む。発生条件に適合する場合（ステップＣ１０のＹＥＳ）、読み出したイベント設定情報の出力条件、メッセージ、出力条件に基づいてイベント情報を自動生成する（ステップＣ１１）。
【００５１】
有効日時の期間内でない場合（ステップＣ３のＮＯ）、又は、発生条件に適合しない場合（ステップＣ１０のＮＯ）、情報提供サーバ２００は、有効日時の期間内でない旨、又は、発生条件に適合しない旨を知らせる有効性情報を生成する（ステップＣ１２）。なお、有効性情報が発生条件に適合しない旨を知らせるものである場合、発生条件に適合していない理由となる状況、たとえば、場所や時間の不一致、入力条件の不一致などの旨が含められる。
【００５２】
ステップＣ１１又はステップＣ１２の後、情報提供サーバ２００は、生成したイベント情報又は有効性情報を携帯通信端末１００Ｂに送信する（ステップＣ１３）。次に、携帯通信端末１００Ｂは、情報提供サーバ２００からのイベント情報又は有効性情報を受信する（ステップＣ１４）。次に、携帯通信端末１００Ｂは、受信したイベント情報又は有効性情報を表示する（ステップＣ１５）。次に、携帯通信端末１００Ｂは、受信した情報がイベント情報又は、有効日時の期間内でない旨の有効性情報であるか否かを確認する（ステップＣ１６）。イベント情報又は、有効日時の期間内でない旨の有効性情報でない場合（ステップＣ１６のＮＯ）、ステップＣ１に戻る。イベント情報又は、有効日時の期間内でない旨の有効性情報である場合（ステップＣ１６のＹＥＳ）、終了する。なお、有効性情報が有効日時の期間内でないものである場合は、サービスを使うことができないため、その時点で終了してしまう。
【００５３】
なお、携帯通信端末１００Ｂと情報提供サーバ２００の間のサービス利用時の動作は、受信側の携帯通信端末１００Ｃ、１００Ｄ又は１００Ｅと情報提供サーバ２００の間のサービス利用時の動作でも同様に行われる。
【００５４】
次に、本発明の実施形態１に係る情報提供方法の概略について図面を用いて説明する。図８は、本発明の実施形態１に係る情報提供方法におけるイベントが発生する過程を説明するための概略図である。
【００５５】
最初のイベント発生場所Ａ−１でイベントを発生させ（Ｘの（１）〜（３）参照）、その後、案内された文面の内容を理解した者から次の発生場所Ａ−２へ移動しイベントを発生させる（Ｙの（１）〜（３）参照）ものである。この図面では、イベントの発生条件である時間（時間帯）と人（数）と場所（位置）によってイベントが発生する。入力条件に関して図面からは確認できないが、発生場所Ａ−１の予定日時にパーティメンバーが集まりはじめ（Ｘ−（１）、（２）参照）、発生場所Ａ−１の予定日時にパーティメンバー４人全員が集まるとイベントが発生し（Ｘ−（３）参照）、メールが発信される。発信されたメールの本文になぞなぞが書かれ、なぞなぞを問いたら発生場所Ａ−２の予定日時に集まることが書かれていたと仮定する。この場合、なぞなぞを問いたパーティメンバーから発生場所Ａ−２へ移動することになるが、発生場所Ａ−２には１名しか集まっていないため、イベントは発生しない（Ｙ−（１）参照）。その後、なぞなぞを問いたパーティメンバーが発生場所Ａ−２に集まりはじめ（Ｙ−（２）参照）、発生場所Ａ−２の予定日時にパーティメンバー４人全員が集まるとイベントが発生し（Ｙ−（３）参照）、メールが発信される。メールの内容が何かの情報を得るもので、最後にアクセスしたパーティメンバーにプレゼントが当たるといった場合には、最後にアクセスしたパーティメンバーにプレゼントが当たるということになる。
【００５６】
実施形態１によれば、以下のような効果を奏する。第１の効果は、個人または団体が必要な時に、その情報を必要とする場所で受信できるように条件設定できる点である。第２の効果は、第１の効果で入手する情報を複数設定し、第１に受信した情報をもとに次の情報入手の為の条件を設定することで、連続したイベントの発生を行い、個人または団体の場所や時間の移動を誘導することが可能な点である。
【００５７】
また、レジャーや祝い事を行う際のビンゴ大会やクイズのような全員参加のゲームやプレゼントを提供するアトラクション用の道具として利用することができる。また、観光旅行やキャンプにおいて団体で同じ場所に移動するような場合に、名所旧跡の映像、音声等による案内や次に移動すべき場所への道案内やその場所の道しるべとして利用することができる。さらに、スタンプラリーのように飛び地に移動し、その場所での情報を収集してまわり、最後に懸賞を与えるような催し事へ利用することができる。
【図面の簡単な説明】
【００５８】
【図１】本発明の実施形態１に係る情報提供方法を実施するためのシステムの構成を模式的に示した概略図である。
【図２】本発明の実施形態１に係る情報提供方法を実施するためのシステムの情報提供サーバへのイベント設定情報を模式的に示した概略図である。
【図３】本発明の実施形態１に係る情報提供方法で使用される携帯通信端末の構成を模式的に示したブロック図である。
【図４】本発明の実施形態１に係る情報提供方法で使用される情報提供サーバの構成を模式的に示したブロック図である。
【図５】本発明の実施形態１に係る情報提供方法を実施するためのシステムにおける発信側の携帯通信端末と情報提供サーバの間の動作を説明するためのサービス登録時のフローチャート図である。
【図６】本発明の実施形態１に係る情報提供方法を実施するためのシステムにおける受信側の携帯通信端末と情報提供サーバの間の動作を説明するためのサービス開始時のフローチャート図である。
【図７】本発明の実施形態１に係る情報提供方法を実施するためのシステムにおける受信側の携帯通信端末と情報提供サーバの間の動作を説明するためのサービス利用時のフローチャート図である。
【図８】本発明の実施形態１に係る情報提供方法におけるイベントが発生する過程を説明するための概略図である。
【符号の説明】
【００５９】
１００、１００Ａ、１００Ｂ、１００Ｃ、１００Ｄ、１００Ｅ  携帯通信端末
１０１  制御部
１０２  キー操作部
１０３  データ変換部
１０４  映像処理部
１０５  音声処理部
１０６  位置情報受信部
１０７  記憶部
１０８  撮像部
１０９  スピーカ
１１０  マイクロフォン
１１１  表示部
１１２  通信部
１１３  アンテナ
２００  情報提供サーバ
２０１  制御部
２０２  キー操作部
２０３  記憶部
２０４  表示部
２０５  通信部
３００  インターネット網
３０１、３０２  基地局
３０３、３０４  ゲートウェイサーバ
【図１】
2006215895.tif 000003
【図２】
2006215895.tif 000004
【図３】
2006215895.tif 000005
【図４】
2006215895.tif 000006
【図５】
2006215895.tif 000007
【図６】
2006215895.tif 000008
【図７】
2006215895.tif 000009
【図８】
2006215895.tif 000010